(57)【要約】【課題】  低コストの原稿マット、原稿カバーの厚みを薄くする原稿マット、それを用いた原稿カバー、及びその原稿カバーを用いた画像読み取り装置を提供する。【解決手段】  本発明に係る原稿マットは、画像読み取り装置の原稿台に載置された原稿を押さえる原稿マットであって、前記原稿を押さえるシートと、平坦に張った状態の前記シートの両端部を係止する係止部と、を備える。この原稿マットによると、ウレタン材を用いないため、原稿マットのコストを低減できる。また、この原稿マットによると、当該原稿マットが取り付けられる原稿カバーに原稿マット側に張り出す凸部がある場合、その凸部を原稿マットの凹部に収容することにより、原稿マットを含む原稿カバー全体の厚みを薄くすることができる。【選択図】    図１
2006113101.tif 000002
【特許請求の範囲】
【請求項１】
画像読み取り装置の原稿台に載置された原稿を押さえる原稿マットであって、
前記原稿を押さえるシートと、
平坦に張った状態の前記シートの両端部を係止する係止部と、
を備えることを特徴とする原稿マット。
【請求項２】
前記係止部は枠状に形成され、枠状の面が前記シートの前記原稿を押さえる面の裏面に当接することを特徴とする請求項１に記載の原稿マット。
【請求項３】
前記シートの前記原稿を押さえる面の裏面から前記裏面に垂直な方向に離間して設けられ、前記シートが前記原稿に押圧されて反原稿台側に撓むと前記シートの裏面に当接するシート押さえ部を更に備えることを特徴とする請求項１又は２に記載の原稿マット。
【請求項４】
前記係止部が設けられる基板を更に備え、
前記基板は、前記シートの前記原稿を押さえる面の裏面側から見ると前記シート側に凹む凹みを有することを特徴とする請求項１、２又は３に記載の原稿マット。
【請求項５】
原稿台に載置された原稿を押さえる請求項１〜３のいずれか一項に記載の原稿マットと、
前記原稿マットを脱着自在に係止するマット係止部と、
を備えることを特徴とする原稿カバー。
【請求項６】
原稿台に載置された原稿を押さえる請求項４に記載の原稿マットと、
前記原稿マットを脱着自在に係止するマット係止部と、
を備え、前記原稿マットの前記凹みによって形成される収容空間を有することを特徴とする原稿カバー。
【請求項７】
前記原稿マット側に張り出す凸部を更に備え、
前記凸部は前記収容空間に収容されることを特徴とする請求項６に記載の原稿カバー。
【請求項８】
原稿台と、
前記原稿台に載置された原稿を押さえる請求項５、６又は７に記載の原稿カバーと、
前記原稿台に載置されている原稿を読み取るイメージセンサと、
を備えることを特徴とする画像読み取り装置。
【発明の詳細な説明】
【技術分野】
【０００１】
本発明は、原稿マット、それを用いた原稿カバー、及びその原稿カバーを用いた画像読み取り装置に関する。
【背景技術】
【０００２】
従来、原稿台に載置された原稿を原稿マットで押さえる画像読み取り装置が知られている（例えば、特許文献１参照。）。従来の原稿マットは、例えばウレタン材と、ウレタン材に張り付けられた樹脂製のシートとで構成されている。
しかしながら、ウレタン材を用いるとウレタン材の分の材料費が必要である上、ウレタン材を所定の形状に加工する加工費が必要であるため、高コストであるという問題がある。
【０００３】
また、従来、画像読み取り装置の原稿読み取り領域に３５ｍｍストリップフィルムなどのフィルムを搬送するフィルム搬送装置や、フィルムなどの透過原稿を照明する透過光源用ユニットなどを収容している原稿カバーが知られている。原稿カバーにフィルム搬送装置や透過光源用ユニットなどを収容すると原稿カバーが厚くなり、結果として画像読み取り装置の体格が高さ方向に増大するという問題がある。
【特許文献１】特開２００３−７５９４４号公報
【発明の開示】
【発明が解決しようとする課題】
【０００４】
本発明は、かかる問題に鑑みて創作されたものであって、低コストの原稿マットを提供することを目的とする。
また、本発明の別の目的は、原稿カバーの厚みを薄くする原稿マット、それを用いた原稿カバー、及びその原稿カバーを用いた画像読み取り装置を提供することにある。
【課題を解決するための手段】
【０００５】
上記目的を達成するため、本発明に係る原稿マットは、画像読み取り装置の原稿台に載置された原稿を押さえる原稿マットであって、前記原稿を押さえるシートと、平坦に張った状態の前記シートの両端部を係止する係止部と、を備える。この原稿マットによると、ウレタン材を用いないため、原稿マットのコストを低減できる。
【０００６】
さらに本発明に係る原稿マットでは、前記係止部は枠状に形成され、枠状の面が前記シートの前記原稿を押さえる面の裏面に当接する。この原稿マットによると、枠状の面がシートの裏面に当接することにより、シートの中間部の撓みを防止でき、より確実に原稿を押さえることができる。
さらに本発明に係る原稿マットでは、前記シートの前記原稿を押さえる面の裏面から前記裏面に垂直な方向に離間して設けられ、前記シートが前記原稿に押圧されて反原稿台側に撓むと前記シートの裏面に当接するシート押さえ部を更に備える。この原稿マットによると、シートが厚みのある原稿によって撓むとシート押さえ部に当接してそれ以上の撓みが防止されるので、厚みのある原稿であっても確実に押さえることができる。
【０００７】
さらに本発明に係る原稿マットでは、前記係止部が設けられる基板を更に備え、前記基板は、前記シートの前記原稿を押さえる面の裏面側から見ると前記シート側に凹む凹みを有する。この原稿マットによると、当該原稿マットが取り付けられる原稿カバーに原稿マット側に張り出す凸部がある場合、その凸部を凹部に収容することができる。これにより、原稿マットを含む原稿カバー全体の厚みを薄くすることができる。
【０００８】
上記目的を達成するため、本発明に係る原稿カバーは、原稿台に載置された原稿を押さえる請求項１〜３のいずれか一項に記載の原稿マットと、前記原稿マットを脱着自在に係止するマット係止部と、を備える。この原稿カバーによると、請求項１〜３のいずれか一項に記載の原稿マットを備えるため、原稿カバーのコストを低減できる。
【０００９】
上記目的を達成するため、本発明に係る原稿カバーは、原稿台に載置された原稿を押さえる請求項４に記載の原稿マットと、前記原稿マットを脱着自在に係止するマット係止部と、を備え、前記原稿マットの前記凹みによって形成される収容空間を有する。この原稿カバーによると、収容空間に例えば原稿カバーの付属部品などを収容することができる。
さらに本発明に係る原稿カバーでは、前記原稿マット側に張り出す凸部を更に備え、
前記凸部は前記収容空間に収容される。この原稿カバーによると、原稿カバー内の厚みのある部品を凸部として張り出させ、張り出させた凸部を凹部に収容することで原稿マットを含む原稿カバー全体の厚みを薄くすることができる。
【００１０】
上記目的を達成するため、本発明に係る画像読み取り装置は、原稿台と、前記原稿台に載置された原稿を押さえる請求項５、６又は７に記載の原稿カバーと、前記原稿台に載置されている原稿を読み取るイメージセンサと、を備える。この画像読み取り装置によると、ウレタン材を用いない原稿マットを備えるため、画像読み取り装置のコストを低減できる。
【発明を実施するための最良の形態】
【００１１】
以下、本発明を実施するための最良の形態を実施例に基づいて説明する。
図２（Ａ）は、本発明の一実施例に係る画像読み取り装置としてのイメージスキャナ１の模式図である。イメージスキャナ１は、原稿台１１に載置された反射原稿やフィルム搬送装置１４によって搬送された透過原稿を読み取る所謂フラットベッド型である。
原稿台１１は、ガラス板等の透明板で形成され、その盤面上に印刷文書、写真、書籍などの原稿Ｍが載置される。
【００１２】
原稿カバー１２は、図示しないヒンジにより原稿台１１の盤面を開放する姿勢から原稿台１１の盤面を覆う姿勢に揺動可能に筐体１３に連結されている。原稿カバー１２には、写真フィルムを搬送するためのフィルム搬送装置１４、図示しない第一光源ユニットなどが収容されている。フィルム搬送装置１４は、挿入口１５から挿入された３５ｍｍストリップフィルムをプーリ１６に掛け渡されたベルト１７でフィルム搬送装置１４の開口１８の上に搬送する。フィルムを読み取るとき原稿マット１９は取り外され、フィルム搬送装置１４の下面は原稿台１１の盤面に圧接する。図示しない第一光源ユニットは第一光源、リフレクタ、拡散板、第一光源用インバータ回路などで構成されている。第一光源から放射された光はリフレクタで反射し、拡散板によって拡散され、開口に搬送されたフィルムを原稿台１１とは逆側から均一な照度で照明する。
【００１３】
原稿マット１９は、原稿カバー１２に脱着自在に設けられている。原稿マット１９は原稿台１１の盤面に載置された原稿Ｍを押さえるとともに、第二光源２０の放射光以外の光が原稿Ｍを照らすことがないよう原稿台１１を覆うものである。原稿マット１９は反射原稿を読み取るときに原稿カバー１２の図示しないマット係止部に係止されることによって原稿カバー１２に取り付けられ、フィルムなどの透過原稿を読み取るときに取り外される。
【００１４】
キャリッジ２１は、原稿台１１の盤面に対し平行なガイドロッド２４に摺動自在に嵌合している。キャリッジ２１は第二光源２０、ミラー２５、レンズ２６、及びイメージセンサ２７を搭載している。キャリッジ２１はキャリッジ搬送用モータ２２によって駆動されるプーリに掛けられたベルト２３に牽引され、原稿台１１の盤面に平行なα方向に往復移動する。尚、画像読み取り装置は、原稿台に対してイメージセンサ及びレンズの位置を固定し、複数のミラーを連動して移動させることによって主走査範囲をその幅方向に移動させるミラー移動型でもよいし、縮小光学系の代わりにロッドレンズアレイを用いた密着型イメージセンサを用いてもよい。
【００１５】
第二光源２０も蛍光管ランプ等の管照明装置から構成されている。第二光源２０はその長手方向軸線がガイドロッド２４の長手方向軸線と垂直で原稿台１１に平行な方向に延びるようにキャリッジ２１に搭載されている。第二光源２０に照射された反射原稿の主走査範囲上の反射光は、ミラー２５で反射してレンズ２６に入射し、レンズ２６によってイメージセンサ２７の受光面に集光される。
【００１６】
イメージセンサ２７は、フォトダイオード等で構成される図示しない光電変換素子が直線的に多数配列された所謂リニアイメージセンサである。イメージセンサ２７は多数の光電変換素子が管状の第二光源２０の中心軸線と平行に並ぶ姿勢でキャリッジ２１に搭載されている。イメージセンサ２７の各光電変換素子には受光量に応じた電荷が光電変換により蓄積される。各光電変換素子に蓄積された電荷は、ＣＣＤ（Charge Coupled Device）等によってイメージセンサ２７の出力部に転送される。イメージセンサ２７から出力されるアナログ画像信号は図２（Ｂ）に示すＡＦＥ部３６によってディジタル信号に変換されて出力される。
【００１７】
図２（Ｂ）は、イメージスキャナ１のハードウェア構成を示すブロック図である。
イメージスキャナ１は、制御部３１、第一照明部３２、第二照明部３３、イメージセンサ２７、主走査駆動部３４、キャリッジ搬送部３５、アナログフロントエンド（ＡＦＥ）部３６、ディジタル画像処理部３７、及びインタフェース３８を備えている。イメージスキャナ１はインタフェース３８を介して通信線、例えばＵＳＢ（Universal Serial Bus）ケーブルでパーソナルコンピュータ（ＰＣ）４０などに接続される。また、制御部３１はフィルム搬送装置１４にも接続されている。
【００１８】
制御部３１は、ＣＰＵ、ＲＯＭ、及びＲＡＭを備える。ＣＰＵはＲＯＭに記憶されているプログラムを実行してイメージスキャナ１の各部を制御し、原稿台１１に載置された原稿を読み取らせる。ＲＯＭは各種プログラム、各種データなどを記憶する不揮発性のメモリであり、ＲＡＭは各種プログラム、各種データなどを一時的に記憶するメモリである。
【００１９】
第一照明部３２は、上述した第一光源ユニット、第一照明部用制御回路等から構成される。第一照明部用制御回路は制御部３１から送信される第一照明部制御信号を受信し、第一光源の点灯、消灯を制御する。
第二照明部３３は、上述した第二光源２０、図示しない第二光源用インバータ回路、第二照明部用制御回路等から構成される。第二照明部用制御回路は制御部３１から送信される第二照明部制御信号を受信し、第二光源２０の点灯、消灯を制御する。
【００２０】
主走査駆動部３４はイメージセンサ２７を駆動するために必要な駆動パルスをイメージセンサ２７に出力する駆動回路であり、例えば同期信号発生器、駆動用タイミングジェネレータ等から構成される。
キャリッジ搬送部３５は、上述のキャリッジ搬送用モータ２２、キャリッジ搬送用モータ駆動回路、キャリッジ駆動部用制御回路等から構成される。キャリッジ駆動部用制御回路は、制御部３１から送信されるキャリッジ搬送制御信号を受信し、キャリッジ搬送用モータ２２の回転方向、回転速度等を制御する。
【００２１】
アナログフロントエンド（ＡＦＥ）部３６は、アナログ信号処理部、Ａ／Ｄ変換器等から構成される。アナログ信号処理部は、イメージセンサ２７から出力されたアナログ画像信号に対して、増幅、雑音低減処理等を施す。Ａ／Ｄ変換器はアナログ信号処理部から出力されたアナログ画像信号を量子化し、所定ビット長のディジタル表現の画素値をイメージセンサ２７の光電変換素子毎に出力する。
ディジタル画像処理部３７は、ＡＦＥ部３６から出力された画素値に対し、シェーディング補正、ガンマ補正等の処理を行ってディジタル画像データを生成する。
【００２２】
次に、原稿マットについて説明する。
図３は、原稿マット１９をシート４５が張られている側から見た斜視図である。図３に示す面４５ｂは原稿を押さえる面である。原稿マット１９は、基板４４と、原稿を押さえるシート４５とを備えている。シート４５の素材は具体的には例えばポリエステルフィルムなどである。
【００２３】
図４（Ａ）は原稿マット１９及び筐体１３の断面を示す斜視図であり、図４（Ｂ）は図４（Ａ）の破線で示す矩形領域５０の拡大図である。基板４４は平板状に形成され、原稿台１１側から見たとき原稿台１１側に向かって矩形に張り出す係止部４６と、係止部４６の概ね中央から反原稿台１１側に凹む凹部４７と、凹部４７の概ね中央から原稿台１１側に向かって矩形に張り出すシート押さえ部４８とを備えている。係止部４６は、凹部４７が形成されていることから、結果として枠状に張り出している。係止部４６の外周形状は概ね原稿台１１と同形状で、原稿台１１よりも僅かに小さく形成されている。また、原稿マット１９には係止部４６と凹部４７とを跨ぐようにして矩形の開口４９が形成されている。
【００２４】
図５は、原稿マット１９及び原稿台１１の一部分の断面図である。係止部４６の底壁部５３の原稿台１１側を向く面には、張った状態のシート４５の一方の端部が両面テープや接着剤などによって接着される。シート４５の図示しない他方の端部についても同様である。これによりシート４５は図３に示すように張った状態で両端部が係止部４６に係止される。シート４５の係止部４６からはみ出した部分は、基板４４から突出する第一支持部５０と第二支持部５１とに挟まれて固定されている。前述したように係止部４６は枠状に形成されており、係止部４６の枠状の面がシート４５に当接する。このため、シート４５の中間部の撓みを防止でき、より確実に原稿を押さえることができる。
【００２５】
係止部４６は壁部５２と底壁部５３とで構成されており、従って原稿マット１９は係止部４６を挟んでシート４５側とは逆側にシート４５側に凹む凹み、具体的には図５において斜線で示す凹み５４を形成している。
凹部４７の反シート４５側を向く面は基板４４の反シート４５側を向く面４４ａよりもシート４５側に位置している。従って凹部４７は係止部４６を挟んでシート４５側とは逆側に、シート４５側に凹む凹み、具体的には図５において斜線で示す凹み５５を形成している。凹部４７の側壁には、係止部４６の底壁部５３の撓みを防止するリブとしての役割もある。なお、図５に示すように底壁部５３の撓みを防止するためのリブ５７を別途設けてもよい。係止部４６や凹部４７と同様にシート押さえ部４８も図５において斜線で示す凹み５６を形成している。凹み５４、凹み５５、及び凹み５６は、図中のＹ方向から当該原稿マット１９を見るとシート４５側に凹んでいる。すなわち、凹み５４、凹み５５、及び凹み５６はシート４５の原稿を押さえる面４５ｂ（図３参照）の裏面４５ａ側から原稿マット１９を見るとシート４５側に凹んでいる。特許請求の範囲に記載の凹みは、凹み５４、凹み５５、及び凹み５６に相当する。
【００２６】
シート押さえ部４８は、シート４５の原稿を押さえる面４５ｂ（図３参照）の裏面４５ａから裏面４５ａに垂直な方向に離間して設けられている。具体的には、シート押さえ部４８はシート４５が撓みなく張られている状態のとき裏面４５ａから裏面４５ａに垂直なＸ方向に０．５ｍｍ程度離間して設けられている。
図６（Ａ）は、原稿マット１９及び原稿カバー１２の断面を示す模式図である。図６（Ａ）に示す原稿マット１９の断面は図４（Ａ）に示すＡ−Ａ線の断面である。原稿カバー１２には、図示するように原稿マット１９側を向く面側に原稿マット１９側に張り出す第一の凸部６１が形成されている。第一の凸部６１は具体的にはフィルム搬送装置１４の原稿台１１側に張り出している部分である。原稿マット１９を原稿カバー１２に取り付けると、フィルム搬送装置１４の張り出している部分は図５に示す凹み５５、及び５６に図６（Ａ）に示すように収容される。なお、凹み５４に収容してもよい。このように、原稿マット１９に凹み５４、５５、及び５６を設けると、原稿カバー１２から張り出した部分を収容することができる。このため、原稿カバー１２に収容される構成部品の中に他の部品より厚みのある部品がある場合、その部品を張り出させ、張り出させた部品を原稿マット１９の凹みに収容することで、原稿マット１９を含む原稿カバー１２全体の厚みを薄くすることができる。その結果、イメージスキャナ１全体の厚みを薄くすることができる。ウレタン材を用いずに原稿マット１９を構成すると原稿マット１９に上述したように凹みを確保することができるため、原稿カバー１２を薄くすることが可能になる。
【００２７】
図６（Ｂ）は、原稿マット１９及び原稿カバー１２の断面を示す模式図である。図６（Ｂ）に示す原稿マット１９の断面は図４（Ａ）に示すＢ−Ｂ線の断面である。原稿カバー１２には、図示するように原稿マット１９側を向く面側に原稿マット１９側に張り出す第二の凸部６２が形成されている。第二の凸部６２は具体的には例えば第一光源用インバータ回路である。原稿カバー１２に原稿マット１９を取り付けると、第一光源用インバータ回路は図示するように原稿マット１９の開口４９に収容される。このように、原稿マット１９に開口４９を設けると、凹部４７では収容しきれない部分を収容することができる。なお、第二の凸部６２は例えば第一光源ユニットであってもよい。
【００２８】
次に、原稿マット１９の作用について説明する。
図１（Ａ）は、原稿台１１に載置されている紙等の薄い原稿７１を原稿マット１９で押さえている様子を示す模式図である。薄い原稿７１の場合、原稿７１の外縁部はシート４５を介して係止部４６に押圧されるため、反ってしまうことなく原稿台１１の盤面に押しつけられる。原稿７１の中央部は、張った状態で係止されているシート４５の張力によって押さえられ、反ってしまうことなく原稿台１１の盤面に押しつけられる。
【００２９】
図１（Ｂ）は、原稿台１１に載置されている本７２を原稿マット１９で押さえている様子を示す模式図である。紙等の薄い原稿であればシート４５が反原稿台１１側に撓むことはないが、本７２などの厚みのある原稿の場合は原稿の厚みによってシート４５が撓んでしまう。しかしながら、シート４５の近傍にはシート押さえ部４８が設けられているため、シート４５はある程度まで撓むと図示するようにシート押さえ部４８に当接してそれ以上の撓みが防止される。従って、厚みのある原稿であっても確実に押さえることができる。また、シート４５の大きな撓みをシート押さえ部４８で防止するようにすると、厚みのある原稿によって大きく撓むことが繰り返されることによってシート４５が延びてしまい、それによりシート４５の張力が失われ、薄い原稿すらも押さえることができなくなってしまうようなことも防止できる。
【００３０】
以上説明した本発明の原稿マット１９によると、ウレタン材を用いずに原稿マット１９を構成できる。従って、原稿マット１９のコストを低減できる。
また、本発明の原稿マット１９によると、シート４５は張った状態で係止部４６に係止されるため、シート４５のゆがみをほぼなくすことができる。具体的には、枠状の係止部４６の中央部分に凹部４７が形成されており、張った状態のシート４５が凹部４７を覆うようにして係止されるため、シート４５のゆがみであって凹部４７を覆っている部分のゆがみをほぼなくすことができる。例えば係止部４６を枠状ではなく矩形に張り出させ、その平面全体にシート４５を貼り付けることで原稿マット１９を構成することも考えられる。しかしながら、平面全体に貼り付けたシート４５で原稿を押さえる場合、シート４５が貼り付けられる平面にゆがみがあるとシート４５もゆがんでしまい、原稿を押さえたときに原稿に原稿マット１９に当接しない部分が生じ、その部分が原稿台１１から浮いてしまって画質が低下してしまう可能性がある。従って、シート４５が貼り付けられる平面をゆがみなく形成しなければならない。しかしながら、シート４５がゆがまないよう精度よく平面を形成しようとすると製造コストが上昇し、結果としてコストを低減することができない。凹部４７を設け、凹部４７を覆うようにしてシート４５を張るとシート４５をほぼ平らにできるため、平面を精度よく形成してその平面にシート４５を張る場合に比べ、シート４５のゆがみを容易になくすことができる。従って、シート４５のゆがみが小さい原稿マット１９を低コストで製造できる。
【００３１】
なお、第一実施例では原稿マット１９側に向かって張り出す第一の凸部６１と第二の凸部６２とを原稿カバー１２に備える場合を例に説明したが、原稿カバー１２はそれらの凸部を備えていなくてもよい。その場合は、凹み５４、５５、及び５６にはイメージスキャナ１の付属部品などを収容するようにしてもよい。
【００３２】
（第二実施例）
図７（Ａ）は第二実施例に係る原稿マット７５の基板７６を模式的に示す斜視図であり、図７（Ｂ）は図７（Ａ）に示すＡ−Ａ線の断面図である。第二実施例の基板７６には概ね矩形に張り出す係止部７７が設けられており、係止部７７の概ね中央には開口７８が形成されている。すなわち、第二実施例の原稿マット７５には、第一実施例の原稿マット１９に形成されていた凹部４７は形成されていない。シート４５は係止部７７の面７７ａと面７７ｂとに両端部を接着されることにより張った状態で係止される。
【００３３】
（第三実施例）
図８は、第三実施例に係る原稿マット８１の基板８２を模式的に示す斜視図である。第三実施例に係る原稿マット８１のＢ−Ｂ線の断面図は図７（Ｂ）と同形状である。図示するように第三実施例の基板８２には互いに離間して平行に延びる係止部８３が設けられている。シート４５は係止部８３の面８３ａと８３ｂとに両端部を接着されることにより張った状態で係止される。第三実施例はその他の点において第二実施例と実質的に同一である。
【００３４】
（第四実施例）
図９は、第四実施例に係る原稿マット８５の基板８６を模式的に示す斜視図である。図示するように第四実施例の原稿マット８５は、基板８６に角柱状の係止部８７が形成されている。第四実施例の原稿マット８５は第三実施例の原稿マット８１に比べ係止部８７の強度を上げることができる。
【図面の簡単な説明】
【００３５】
【図１】（Ａ）及び（Ｂ）は本発明の第一実施例に係る原稿マットが原稿を押さえている様子を示す模式図。
【図２】（Ａ）は本発明の第一実施例に係る画像読み取り装置の模式図、（Ｂ）はそのブロック図。
【図３】本発明の第一実施例に係る原稿マットの斜視図。
【図４】（Ａ）は本発明の第一実施例に係る原稿マット及び画像読み取り装置の断面を示す斜視図、（Ｂ）は（Ａ）の破線で示す矩形領域の拡大図。
【図５】本発明の第一実施例に係る原稿マット及び原稿台の一部分の断面図。
【図６】（Ａ）は本発明の第一実施例に係る原稿マット及び原稿カバーの図４（Ａ）に示すＡ−Ａ線の断面を示す模式図、（Ｂ）は図４（Ａ）に示すＢ−Ｂ線の断面図。
【図７】（Ａ）は本発明の第二実施例に係る原稿マットの基板を模式的に示す斜視図、（Ｂ）は（Ａ）に示すＡ−Ａ線の断面図。
【図８】本発明の第三実施例に係る原稿マットの基板を模式的に示す斜視図。
【図９】本発明の第四実施例に係る原稿マットの基板を模式的に示す斜視図。
【符号の説明】
【００３６】
１  イメージスキャナ、１１  原稿台、１２  原稿カバー、１９  原稿マット、２７  イメージセンサ、４５  シート、４５ａ  裏面、４６  係止部、４８  シート押さえ部、５４、５５、５６  凹み、６１  第一の凸部（凸部）、６２  第二の凸部（凸部）、７５  原稿マット、７７  係止部、８１  原稿マット、８３  係止部、８５  原稿マット、８７  係止部
【図１】
2006113101.tif 000003
【図２】
2006113101.tif 000004
【図３】
2006113101.tif 000005
【図４】
2006113101.tif 000006
【図５】
2006113101.tif 000007
【図６】
2006113101.tif 000008
【図７】
2006113101.tif 000009
【図８】
2006113101.tif 000010
【図９】
2006113101.tif 000011